(57)【要約】【課題】ネットワークを介して外部ストレージに接続可能なデータ蓄積端末において、データが入力された入力Ｉ／Ｆ又は入力データの種別を判定し、その種別に応じて内蔵ストレージと外部ストレージのいずれかを選択して当該入力データを蓄積する。【解決手段】データ蓄積端末１０は、データを入力する複数の異なる入力Ｉ／Ｆ部１２、入力したデータを蓄積する内蔵ストレージ１１、外部ストレージにネットワークを介して接続するためのネットワークＩ／Ｆ部１７、識別情報付加部１５、ストレージ選択部１６を備える。データ蓄積端末１０は、データが入力された入力Ｉ／Ｆ部１２の種別（チューナかＵＳＢＩ／Ｆかなど）又は入力データの種別（放送信号かそれ以外かなど）を判定し、その判定した種別に応じて前記入力データに識別情報を付加し、該識別情報に基づいて内蔵ストレージ１１と外部ストレージのいずれかを選択して前記入力データを蓄積する。【選択図】図２
2006113843.tif 000002
【特許請求の範囲】
【請求項１】
データを入力するための複数の異なる入力インタフェースと、該入力したデータを蓄積するための内蔵ストレージと、外部のストレージにネットワークを介して接続するためのネットワークインタフェースとを備えたデータ蓄積端末であって、データが入力された入力インタフェースあるいは入力データの種別に応じて前記内蔵ストレージと前記外部ストレージのいずれかを選択するストレージ選択手段を備えていることを特徴とするデータ蓄積端末。
【請求項２】
請求項１に記載のデータ蓄積端末において、データが入力された入力インタフェースあるいは入力データの種別を判定し、該判定した種別に応じて前記入力データに識別情報を付加する識別情報付加手段を備え、前記ストレージ選択手段は、前記識別情報付加手段により付加された識別情報に基づいてストレージの選択処理を実行することを特徴とするデータ蓄積端末。
【請求項３】
請求項２に記載のデータ蓄積端末において、前記識別情報付加手段により付加された識別情報は、前記入力データがユーザ個人の私的なデータかどうかを示す情報であり、前記ストレージ選択手段は、私的なデータを示す情報の場合、前記内蔵ストレージを選択し、それ以外のデータを示す情報の場合、前記外部ストレージを選択することを特徴とするデータ蓄積端末。
【請求項４】
請求項１乃至３のいずれか１に記載のデータ蓄積端末において、前記ストレージ選択手段は、前記内蔵ストレージと前記外部ストレージのいずれかをユーザに選択させるための手段を備え、該ユーザ入力に従ってストレージの選択処理を実行することを特徴とするデータ蓄積端末。
【請求項５】
請求項１乃至４のいずれか１に記載のデータ蓄積端末において、前記ストレージ選択手段により前記外部ストレージが選択された場合、前記外部ストレージに前記入力データを蓄積すると共に、その入力データを前記内蔵ストレージにも蓄積することを特徴とするデータ蓄積端末。
【請求項６】
ネットワークを介して外部ストレージに接続されたデータ蓄積端末を有するデータ蓄積システムであって、前記データ蓄積端末は、データを入力するための複数の異なる入力インタフェースと、該入力したデータを蓄積するための内蔵ストレージと、データが入力された入力インタフェースあるいは入力データの種別に応じて前記内蔵ストレージと前記外部ストレージのいずれかを選択するストレージ選択手段とを備えていることを特徴とするデータ蓄積システム。
【請求項７】
請求項６に記載のデータ蓄積システムにおいて、前記データ蓄積端末は、データが入力された入力インタフェースあるいは入力データの種別を判定し、該判定した種別に応じて前記入力データに識別情報を付加する識別情報付加手段を備え、前記ストレージ選択手段は、前記識別情報付加手段により付加された識別情報に基づいてストレージの選択処理を実行することを特徴とするデータ蓄積システム。
【請求項８】
データを入力するための複数の異なる入力インタフェースと、該入力したデータを蓄積するための内蔵ストレージと、外部のストレージにネットワークを介して接続するためのネットワークインタフェースとを備えたデータ蓄積端末のデータ蓄積方法であって、データが入力された入力インタフェースあるいは入力データの種別を判定するステップと、該判定した種別に応じて前記入力データに識別情報を付加するステップと、該識別情報に基づいて前記内蔵ストレージと前記外部ストレージのいずれかを選択するステップとを有することを特徴とするデータ蓄積方法。
【請求項９】
請求項８に記載のデータ蓄積方法において、前記識別情報は、前記入力データがユーザ個人の私的なデータかどうかを示す情報であり、私的なデータを示す情報の場合、前記内蔵ストレージを選択し、それ以外のデータを示す情報の場合、前記外部ストレージを選択することを特徴とするデータ蓄積方法。
【発明の詳細な説明】
【技術分野】
【０００１】
本発明は、データ蓄積端末、システム、及び方法、より詳細には、ネットワークを介して接続された外部ストレージにデータを蓄積可能なデータ蓄積端末、該データ蓄積端末を有するデータ蓄積システム、及びそのための方法に関し、個人的なデータの蓄積を支援するための技術に関する。
【背景技術】
【０００２】
従来のコンテンツ蓄積システムは、データ（以下、しばしばコンテンツという）の再生を行う端末にストレージ部が内蔵されているため、再生するコンテンツをそのまま、あるいは、エンコードして自動で蓄積する場合、当該コンテンツが私的なものか、それ以外のものかということを意識することなく、内蔵ストレージに蓄積を行うものであった。
【０００３】
しかしながら、内蔵ストレージ以外にネットワークを介して接続された外部ストレージへの蓄積も可能なシステム（以下、ネットワークストレージシステムという）の場合、ネットワークという他者の目に触れる可能性のある場所に蓄積することを踏まえ、コンテンツを私的コンテンツとそれ以外のコンテンツ（以下、公的コンテンツという）に分類してその扱いを変える必要がある。私的コンテンツの場合は、その性格上外部ストレージが強固なセキュリティによって守られていても、ネットワーク管理者には管理の名目で視聴される可能性があるため、プライバシー保護の観点からも本人の意志なく外部ストレージに蓄積されることは避ける必要がある。
【０００４】
この場合、ユーザは個人で撮影した私的コンテンツの外部ストレージへの自動蓄積を防ぐために、全てのコンテンツの内容を確認し、蓄積してよければ了解ボタンなどで蓄積許可した後、外部ストレージに蓄積するという面倒な操作を強いられることになる。
【０００５】
従来、ネットワークストレージシステムにおけるデータ管理に関し、例えば、特許文献１には、ユーザが希望する信頼性レベルのストレージにデータを保存可能としたネットワークストレージシステムが開示されている。これは、ネットワーク上に接続された複数のストレージ装置を制御するネットワークストレージシステムにおいて、ストレージ装置上のデータに対して信頼性レベル情報を付与し、クライアントがストレージ装置上のデータを参照又は更新する際に、クライアントのアクセス権限の範囲内で信頼性レベル情報を更新し、更新された信頼性レベル情報に基づき、データを格納するストレージ装置を変更可能としたものである。
【特許文献１】特開２００２−２４４９２２号公報
【発明の開示】
【発明が解決しようとする課題】
【０００６】
しかしながら、上記特許文献１に記載の発明は、各データに対して信頼性レベル情報を付加し、その信頼性レベル情報に応じたストレージ装置に格納するものであるが、私的コンテンツあるいは公的コンテンツという分類からその蓄積先ストレージを変更するものではない。また、私的コンテンツの信頼性レベルを高く、公的コンテンツの信頼性レベルを低く設定しておいてもよいが、コンテンツの数が多いとその設定操作が煩わしい。また、ネットワーク上の各ストレージ装置は、上記信頼性レベル情報に合致するストレージ装置を検索するためのサーチエンジンを備える必要があり、装置構成が複雑となる。
【０００７】
本発明は、上述のごとき実情に鑑みてなされたものであり、ネットワークを介して外部ストレージに接続可能なデータ蓄積端末において、データが入力された入力インタフェースあるいは入力データの種別を判定し、その種別に応じて内蔵ストレージと外部ストレージのいずれかを選択して当該入力データを蓄積できるようにすること、を目的としてなされたものである。
【課題を解決するための手段】
【０００８】
上記課題を解決するために、第１の技術手段は、データを入力するための複数の異なる入力インタフェースと、該入力したデータを蓄積するための内蔵ストレージと、外部のストレージにネットワークを介して接続するためのネットワークインタフェースとを備えたデータ蓄積端末であって、データが入力された入力インタフェースあるいは入力データの種別に応じて前記内蔵ストレージと前記外部ストレージのいずれかを選択するストレージ選択手段を備えていることを特徴としたものである。
【０００９】
第２の技術手段は、第１の技術手段において、データが入力された入力インタフェースあるいは入力データの種別を判定し、該判定した種別に応じて前記入力データに識別情報を付加する識別情報付加手段を備え、前記ストレージ選択手段は、前記識別情報付加手段により付加された識別情報に基づいてストレージの選択処理を実行することを特徴としたものである。
【００１０】
第３の技術手段は、第２の技術手段において、前記識別情報付加手段により付加された識別情報は、前記入力データがユーザ個人の私的なデータかどうかを示す情報であり、前記ストレージ選択手段は、私的なデータを示す情報の場合、前記内蔵ストレージを選択し、それ以外のデータを示す情報の場合、前記外部ストレージを選択することを特徴としたものである。
【００１１】
第４の技術手段は、第１乃至第３のいずれか１の技術手段において、前記ストレージ選択手段は、前記内蔵ストレージと前記外部ストレージのいずれかをユーザに選択させるための手段を備え、該ユーザ入力に従ってストレージの選択処理を実行することを特徴としたものである。
【００１２】
第５の技術手段は、第１乃至第４のいずれか１の技術手段において、前記ストレージ選択手段により前記外部ストレージが選択された場合、前記外部ストレージに前記入力データを蓄積すると共に、その入力データを前記内蔵ストレージにも蓄積することを特徴としたものである。
【００１３】
第６の技術手段は、ネットワークを介して外部ストレージに接続されたデータ蓄積端末を有するデータ蓄積システムであって、前記データ蓄積端末は、データを入力するための複数の異なる入力インタフェースと、該入力したデータを蓄積するための内蔵ストレージと、データが入力された入力インタフェースあるいは入力データの種別に応じて前記内蔵ストレージと前記外部ストレージのいずれかを選択するストレージ選択手段とを備えていることを特徴としたものである。
【００１４】
第７の技術手段は、第６の技術手段において、前記データ蓄積端末は、データが入力された入力インタフェースあるいは入力データの種別を判定し、該判定した種別に応じて前記入力データに識別情報を付加する識別情報付加手段を備え、前記ストレージ選択手段は、前記識別情報付加手段により付加された識別情報に基づいてストレージの選択処理を実行することを特徴としたものである。
【００１５】
第８の技術手段は、データを入力するための複数の異なる入力インタフェースと、該入力したデータを蓄積するための内蔵ストレージと、外部のストレージにネットワークを介して接続するためのネットワークインタフェースとを備えたデータ蓄積端末のデータ蓄積方法であって、データが入力された入力インタフェースあるいは入力データの種別を判定するステップと、該判定した種別に応じて前記入力データに識別情報を付加するステップと、該識別情報に基づいて前記内蔵ストレージと前記外部ストレージのいずれかを選択するステップとを有することを特徴としたものである。
【００１６】
第９の技術手段は、第８の技術手段において、前記識別情報は、前記入力データがユーザ個人の私的なデータかどうかを示す情報であり、私的なデータを示す情報の場合、前記内蔵ストレージを選択し、それ以外のデータを示す情報の場合、前記外部ストレージを選択することを特徴としたものである。
【００１７】
本発明は、複数の異なる入力インタフェースから入力されたコンテンツに識別情報を付加し、データ蓄積端末がコンテンツ再生を行うと同時に、当該コンテンツをネットワークを介して外部ストレージに蓄積する際に、例えば「個人が作成した私的コンテンツ」と「それ以外のコンテンツ」などで自動的に区別し、さらに、私的コンテンツのみ蓄積を確認することで、ネットワーク上に蓄積したくない私的コンテンツを誤って外部ストレージに蓄積することを防止できるようにした装置、システム、及び方法を提供するものである。
【００１８】
例えば、個人的なコンテンツを「私的コンテンツ」、それ以外のコンテンツを「公的コンテンツ」といった具合に自動的に識別する情報を付加し、この識別情報を使うことで、明らかに個人のものではないコンテンツに関しては、ユーザの蓄積確認なしに外部ストレージに蓄積し、個人的なコンテンツとして識別されたコンテンツのみを外部ストレージに蓄積するか否かを選択して外部ストレージあるいは内蔵ストレージに蓄積するように構成している。
【発明の効果】
【００１９】
本発明によれば、ネットワークを介して外部ストレージに接続可能なデータ蓄積端末において、データが入力された入力インタフェースあるいは入力データの種別を判定し、その種別に応じて内蔵ストレージと外部ストレージのいずれかを選択して当該入力データを蓄積できるため、ネットワーク上に蓄積したくない私的なデータを誤って外部ストレージに蓄積することがなくなる。
【発明を実施するための最良の形態】
【００２０】
本発明のデータ蓄積端末は、各種コンテンツを入力するための複数の異なる入力インタフェース（入力Ｉ／Ｆ）と、入力したコンテンツを蓄積するための内蔵ストレージと、外部のストレージにネットワークを介して接続するためのネットワークＩ／Ｆと、入力Ｉ／Ｆから入力されるコンテンツを再生して外部接続あるいは内蔵されたディスプレイやスピーカに出力する機能と、そのコンテンツを内蔵ストレージあるいは外部ストレージに蓄積する機能とを有している。この場合、コンテンツの種類は、例えば、動画，音声，静止画等であり、それぞれの種類によってそのまま蓄積される場合もあれば、ネットワークに合わせた形式のフォーマットにエンコードされる場合もある。
【００２１】
（第１の実施形態）
以下、添付図面を参照しながら、本発明の各実施形態を詳細に説明する。尚、本発明の実施の形態を例示する各図において、同一の符号を付した部分は同一物を表し、基本的な構成及び動作は同様とする。
【００２２】
図１は、本発明の一実施形態であるデータ蓄積システムの一例を示す図で、図中、１は光記録メディア、２はメモリカード、３は放送信号、４はビデオカメラ、５はデジタルカメラ、６はその他の記録媒体、１０はデータ蓄積端末、２０はネットワーク、３０は外部ストレージを示す。データ蓄積端末１０は、ハードディスクなどの内蔵ストレージ１１，複数の各種入力Ｉ／Ｆからなる入力Ｉ／Ｆ部１２，内蔵あるいは外部接続されたディスプレイ１３，データ蓄積端末１０を遠隔操作するためのリモコン１４を備え、外部ストレージ３０とインターネットなどのネットワーク２０を介して接続されている。外部ストレージ３０は、サーバ装置（図示せず）に内蔵あるいは外部接続されている。尚、本実施形態では１つの外部ストレージ３０がネットワーク２０に接続されているが、複数の外部ストレージ３０を接続するようにしてもよい。
【００２３】
光記録メディア１からコンテンツを入力する場合、データ蓄積端末１０は、入力Ｉ／Ｆ部１２として、光ディスクドライブを備え、この光ディスクドライブは、例えば、ＤＶＤドライブやＢＤドライブなどの各種光ディスクのドライブが適用され、ＢＤドライブの場合、例えば、ＢＤ−ＲＯＭ，ＢＤ−Ｒ，ＢＤ−ＲＥなどのＢＤ系記録メディアが利用可能であり、また、ＤＶＤドライブの場合、例えば、ＤＶＤ−ビデオ，ＤＶＤ−オーディオ，ＤＶＤ−ＲＡＭ，ＤＶＤ−Ｒ，ＤＶＤ−ＲＷ、ＤＶＤ＋ＲＯＭ，ＤＶＤ＋Ｒ，ＤＶＤ＋ＲＷなどのＤＶＤ系記録メディアや、ＣＤ−ＭＡ，ＣＤ−ビデオ，ＣＤ−Ｒ，ＣＤ−ＲＷなどのＣＤ系記録メディアが利用可能である。
【００２４】
メモリカード２，ビデオカメラ４，デジタルカメラ５，及びその他記録媒体６からコンテンツ（静止画，動画，音声などを含む）を入力する場合、データ蓄積端末１０は、入力Ｉ／Ｆ部１２として、例えば、１３９４（IEEE1394規格）Ｉ／Ｆ，ＵＳＢ（Universal Serial Bus）Ｉ／Ｆ，メモリカードＩ／Ｆ，ＰＣカードＩ／Ｆなどを備えている。尚、その他記録媒体６としては、例えば、リムーバブルハードディスク，ＵＳＢメモリなどの各種記録媒体を利用することができる。
【００２５】
放送信号３からコンテンツを入力する場合、データ蓄積端末１０は、入力Ｉ／Ｆ部１２として、デジタル放送（ＢＳ／ＣＳ／地上波）あるいはアナログ放送を受信するためのチューナや、ＣＡＴＶやデジタル放送などを受信するためのＳＴＢ（セットトップボックス）などを内蔵あるいは外付けで備えている。
【００２６】
尚、ネットワーク２０の形態としては、有線、無線に限らず専用回線、電話回線等で接続されたインターネットや、インターネット技術を利用したイントラネットなどのネットワーク、さらには、専用回線を使用する場合でもＷＡＮ（Ｗｉｄｅ  Ａｒｅａ  Ｎｅｔｗｏｒｋ）やＭＡＮ（Ｍｅｔｒｏｐｏｌｉｔａｎ  Ａｒｅａ  Ｎｅｔｗｏｒｋ）、外部ストレージ３０の設置場所によってはＬＡＮ（Ｌｏｃａｌ  Ａｒｅａ  Ｎｅｔｗｏｒｋ）で構成するようにしてもよい。
【００２７】
図２は、図１に示したデータ蓄積端末１０の内部構成例を示すブロック図で、データ蓄積端末１０は、ハードディスクなどの内蔵ストレージ１１，各種入力Ｉ／Ｆ１２１〜１２ｎからなる入力Ｉ／Ｆ部１２，識別情報付加部１５，ストレージ選択部１６，及びネットワークＩ／Ｆ部１７を備え、ＬＣＤやＣＲＴなどのディスプレイ１３と接続されている。各種入力Ｉ／Ｆ１２１〜１２ｎは、前述したように、１３９４Ｉ／Ｆ，ＵＳＢＩ／Ｆ，メモリカードＩ／Ｆ，ＰＣカードＩ／Ｆ，光ディスクドライブ，チューナ，ＳＴＢなどである。
【００２８】
識別情報付加部１５は、入力Ｉ／Ｆ１２１〜１２ｎのいずれかからコンテンツが入力されると、そのコンテンツが入力された入力Ｉ／Ｆ部１２の種別（例えば、チューナか、ＵＳＢＩ／Ｆかなど）あるいは入力されたコンテンツのデータ種別（例えば、放送信号か、それ以外かなど）を判定し、その結果に基づいて識別情報（例えば、私的コンテンツとそれ以外のコンテンツを識別するためのタグなど）を付加する。ストレージ選択部１６は、識別情報付加部１５で付加された識別情報に基づいて内蔵ストレージ１１と外部ストレージ３０のいずれかを選択してコンテンツを蓄積する。ネットワークＩ／Ｆ部１７は、ネットワーク２０に接続するためのインタフェース手段である。尚、以下の説明では、上記それ以外のコンテンツを公的コンテンツとして説明する。
【００２９】
ここで、私的コンテンツとは、ユーザ自身で撮影した静止画や動画などの個人的なコンテンツをいい、公的コンテンツとは、それ以外のコンテンツで、例えば、一般に配信、提供されている静止画や動画などのコンテンツをいう。
【００３０】
ここで、上述したタグとは私的コンテンツであるかどうかを識別するための情報であって、このタグ情報はコンテンツが入力されたときに当該コンテンツ中に埋め込まれる。ストレージ選択部１６は、タグ情報から、私的コンテンツであると判定した場合、内蔵ストレージ１１を選択し、公的コンテンツであると判定した場合、外部ストレージ３０を選択する。この際、一方の私的コンテンツ（又は公的コンテンツ）にのみタグを埋め込み、他方の公的コンテンツ（又は私的コンテンツ）にはタグを埋め込まないようにしてタグの有無で私的／公的を判定してもよい。
【００３１】
上記のように構成された本実施形態のデータ蓄積システムの利用形態について以下に説明する。まず、ユーザは例えば以下のようなパターンで、動画、音声、及び静止画等のコンテンツをデータ蓄積端末１０から内蔵ストレージ１１あるいは外部ストレージ３０に蓄積する。
【００３２】
（１）チューナあるいはＳＴＢで受信した放送信号３に含まれる映像／音声を再生し、同時にエンコードを行い、そのコンテンツを内蔵ストレージ１１あるいはネットワーク２０を介して外部ストレージ３０に蓄積する。
（２）ＣＤやＤＶＤなどの光記録メディア１に記録されている音楽、映像などを再生し、同時にエンコードを行い、そのコンテンツを内蔵ストレージ１１あるいはネットワーク２０を介して外部ストレージ３０に蓄積する。
（３）ＤＶ方式あるいはＭＰＥＧ方式のビデオカメラ４で撮影した動画などを再生し、同時にエンコードを行い、そのコンテンツを内蔵ストレージ１１あるいはネットワーク２０を介して外部ストレージ３０に蓄積する。
（４）デジタルカメラ５で撮影した動画あるいは静止画を再生し、そのコンテンツを内蔵ストレージ１１あるいはネットワーク２０を介して外部ストレージ３０に蓄積する。
（５）メモリカード２あるいはその他記録媒体６に記録されている動画あるいは静止画を再生し、そのコンテンツを内蔵ストレージ１１あるいはネットワーク２０を介して外部ストレージ３０に蓄積する。
【００３３】
上記各パターンについて、入力されたコンテンツのデータ種別（例えば、放送信号か、それ以外かなど）や、そのコンテンツがどの入力Ｉ／Ｆ部１２から入力されたのか（例えば、チューナか、ＵＳＢＩ／Ｆかなど）を判定する。この判定処理は識別情報付加部１５により実行される。さらに、判定結果に基づいて、識別情報付加部１５は、内蔵ストレージ１１あるいは外部ストレージ３０にコンテンツを蓄積する前に、各コンテンツに対して、公的か私的かを識別するための識別情報として、公的コンテンツタグあるいは私的コンテンツタグを付加する。コンテンツ選択部１６はタグの内容からコンテンツが公的なものか私的なものかを判断してそれぞれに応じたストレージを選択して蓄積処理を行う。
【００３４】
図３は、入力Ｉ／Ｆ部１２から入力された各コンテンツに対して公的コンテンツタグあるいは私的コンテンツタグを付加する処理の一例を説明するためのフロー図である。本例は、図２に示したデータ蓄積装置１０に基づいて説明するものとする。まず、データ蓄積装置１０は、入力Ｉ／Ｆ部１２からコンテンツが入力されると（ステップＳ１）、そのコンテンツが入力された入力Ｉ／Ｆ部１２の種別を判断し（ステップＳ２）、その結果、１３９４Ｉ／Ｆ，ＵＳＢＩ／Ｆ，メモリカードＩ／Ｆ，及びＰＣカードＩ／Ｆのいずれかから入力された場合、識別情報付加部１５は、当該コンテンツに「私的コンテンツタグ」を付加する（ステップＳ３）。
【００３５】
また、上記ステップＳ２において、コンテンツがチューナ，光ディスクドライブのいずれかから入力された場合、識別情報付加部１５は、当該コンテンツをエンコードし（ステップＳ４）、「公的コンテンツタグ」を付加する（ステップＳ５）。尚、コンテンツのエンコード処理は、データ蓄積端末１０が備えるエンコーダ（図示せず）を利用して行うことができる。
【００３６】
また、上記ステップＳ２において、コンテンツがコンポジットＩ／Ｆから入力された場合、識別情報付加部１５は、放送される時点でコンテンツ自体に付加されているコピープロテクト用の信号の有無を判断し（ステップＳ６）、コピープロテクト信号を含まない場合（ＮＯの場合）、当該コンテンツに「私的コンテンツタグ」を付加する（ステップＳ７）。また、上記ステップＳ６において、コピープロテクト信号を含む場合（ＹＥＳの場合）、識別情報付加部１５は、当該コンテンツをエンコードし（ステップＳ８）、「公的コンテンツタグ」を付加する（ステップＳ９）。上記ステップＳ６のコピープロテクト信号を含むかどうかの判断は、アナログコンテンツの場合はマクロビジョンやＣＧＭＳ(Copy Generation Management System)といった信号を、デジタルコンテンツの場合はＣＰＲＭ（Content Protection for Recordable Media）といった信号を検知し、これらの信号を含むコンテンツを「公的コンテンツ」として判定する。
【００３７】
ここで、上記コンポジットＩ／Ｆは、ＮＴＳＣ方式、ＰＡＬ方式などの映像信号を入力するためのインタフェースであって、その信号フォーマットは、デジタルコンポーネント信号、アナログコンポーネント信号（ＹＰｂＰｒ，ＹＣｂＣｒなど）、及びアナログコンポジット信号などを利用することができる。
【００３８】
図３に示したフローでは、入力されたコンテンツに対して公的か私的かを示すタグが付加され、さらに、ストレージ選択部１６は、タグの内容からコンテンツが公的なものか私的なものかを判断してストレージを選択する。すなわち、公的コンテンツタグが付加されたコンテンツはそのままネットワーク２０を介して外部ストレージ３０に蓄積し、一方、私的コンテンツタグが付加されたコンテンツは外部ストレージ３０への蓄積を確認するステップを経た後、内蔵ストレージ１１あるいは外部ストレージ３０に蓄積する。この選択／蓄積処理について図４に示すフローに基づいて説明する。
【００３９】
図４は、データ蓄積端末１０が備えるストレージ選択部１６の選択／蓄積処理の一例を説明するためのフロー図である。まず、データ蓄積端末１０は、入力Ｉ／Ｆ部１２から入力されたコンテンツを再生し（ステップＳ１１）、そのコンテンツに公的コンテンツタグが付加されているか、私的コンテンツタグが付加されているかを判断し（ステップＳ１２）、公的コンテンツタグが付加されている場合（図中、公的コンテンツタグ）、ネットワーク２０を介して外部ストレージ３０に蓄積する（ステップＳ１６）。
【００４０】
一方、上記ステップＳ１２において、私的コンテンツタグが付加されている場合（図中、私的コンテンツタグ）、外部ストレージ３０への蓄積をユーザに確認するためのメッセージ表示等をディスプレイ１３から行う（ステップＳ１３）。本例では、ストレージ選択部１６が内蔵ストレージ１１と外部ストレージ３０のいずれかをユーザに選択させるための手段を備え、私的コンテンツタグが付加されている場合、ユーザ入力に従ってストレージの選択処理を実行できるようにしている。尚、蓄積確認を促す方法は、ディスプレイ１３のメッセージ表示に限らず、例えば、ＬＥＤなどの発光手段や、音声出力するなどの方法を用いてもよい。
【００４１】
次に、ユーザはディスプレイ１３の蓄積確認表示に対して、外部ストレージ３０に蓄積するかどうかを判断し、その結果をデータ蓄積端末１０が備える操作部あるいはリモコン１４を用いて入力する。データ蓄積端末１０は、そのユーザ入力に従って外部ストレージ３０に蓄積するかどうかを判断し（ステップＳ１４）、当該コンテンツを外部ストレージ３０に蓄積する場合（ＹＥＳの場合）、ステップＳ１６に移行して外部ストレージ３０に蓄積する。一方、上記ステップＳ１４において、外部ストレージ３０に蓄積しない場合（ＮＯの場合）、内蔵ストレージ１１に蓄積する（ステップＳ１５）。
【００４２】
ここで、上記ステップＳ１４で外部ストレージ３０に蓄積しない場合とは、例えば、外部ストレージ３０の管理者などから管理名目で視聴されることを望まないコンテンツの場合であって、ユーザは外部蓄積を了承しない旨をデータ蓄積端末１０が備える操作部あるいはリモコン１４から入力すると、データ蓄積端末１０は、そのコンテンツを外部ストレージ３０ではなく、内蔵ストレージ１１に蓄積する。
【００４３】
（第２実施形態）
図１に示したデータ蓄積システムにおいて、入力されたコンテンツに私的コンテンツタグが付加された場合、データ蓄積端末１０に内蔵あるいは外部接続されたディスプレイ１３の蓄積確認表示に従って、ユーザがデータ蓄積端末１０の操作部あるいはリモコン１４から外部蓄積を了承する旨の入力をしたときに、ネットワーク２０を介して外部ストレージ３０に蓄積される。その際、私的コンテンツは代替えが効かない場合が多いので、外部ストレージ３０に何らかの障害が発生して２度と再生ができなくなる可能性がある。
【００４４】
上記事態に対応するために、本実施形態では、上記私的コンテンツを外部ストレージ３０に蓄積すると共に、内蔵ストレージ１１にも蓄積しておく。この際、内蔵ストレージ１１に対してコンテンツのデータ容量等の条件を限定するようにしてもよい。このように、外部ストレージ３０だけでなく、内蔵ストレージ１１に対しても自動でバックアップを行うことで、私的コンテンツの保護を図ることができる。また、外部ストレージ３０が複数接続されている場合、上記私的コンテンツをいずれか１つの外部ストレージに蓄積すると共に、他の外部ストレージにバックアップを行うようにしてもよい。
【００４５】
以上、本発明のデータ蓄積端末及びシステムにおける各機能を中心に各実施形態を説明してきたが、本発明は、データ蓄積端末及びシステムにおける各ステップを実行する方法としても説明したようにデータ蓄積方法としての形態もとることができる。また、この各機能を有するデータ蓄積端末及びシステムと同様に、コンピュータにデータ蓄積端末として機能させるためのプログラムとしての形態も、また、そのプログラムを記録した記録媒体としての形態も可能である。
【００４６】
本発明によるデータ蓄積の機能を実現するためのプログラムやデータを記憶した記録媒体の実施形態について説明する。記録媒体としては、具体的には、ＣＤ−ＲＯＭ（−Ｒ／−ＲＷ）、光磁気ディスク、ＤＶＤ−ＲＯＭ（−Ｒ／−ＲＷ／−ＲＡＭ）、ＦＤ、ＨＤ、フラッシュメモリ、メモリカードや、メモリスティック及びその他各種ＲＯＭやＲＡＭ等が想定でき、これら記録媒体に上述した本発明の各実施形態の装置、システムとしての機能をコンピュータに実行させ、データ蓄積の機能を実現するためのプログラムを記録して流通させることにより、当該機能の実現を容易にする。そしてコンピュータ等の情報処理装置に上記のごとくの記録媒体を装着して情報処理装置によりプログラムを読み出すか、若しくは情報処理装置が備えている記憶媒体に当該プログラムを記憶させておき、必要に応じて読み出すことにより、本発明に関わるデータ蓄積の機能を実行することができる。
【図面の簡単な説明】
【００４７】
【図１】本発明の一実施形態であるデータ蓄積システムの一例を示す図である。
【図２】図１に示したデータ蓄積端末の内部構成例を示すブロック図である。
【図３】入力Ｉ／Ｆ部から入力された各コンテンツに対して公的コンテンツタグあるいは私的コンテンツタグを付加する処理の一例を説明するためのフロー図である。
【図４】データ蓄積端末が備えるストレージ選択部の選択／蓄積処理の一例を説明するためのフロー図である。
【符号の説明】
【００４８】
１…光記録メディア、２…メモリカード、３…放送信号、４…ビデオカメラ、５…デジタルカメラ、６…その他記録媒体、１０…データ蓄積端末、１１…内蔵ストレージ、１２…入力Ｉ／Ｆ部、１３…ディスプレイ、１４…リモコン、１５…識別情報付加部、１６…ストレージ選択部、１７…ネットワークＩ／Ｆ部、２０…ネットワーク、３０…外部ストレージ。
【図１】
2006113843.tif 000003
【図２】
2006113843.tif 000004
【図３】
2006113843.tif 000005
【図４】
2006113843.tif 000006